【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
金属加工品の少なくとも１つの実質的に円柱状の部材を加熱するインダクタ組立品であって、
当該インダクタ組立品は、能動インダクタ部及び受動インダクタ部から構成され、当該能動及び受動インダクタ部は、前記能動インダクタ部に供給される高周波交流電流を前記受動インダクタ部に対して磁気的に結合させる手段を有し、
前記少なくとも１つの実質的に円柱状の部材に対して磁場を適用して誘導加熱するべく前記少なくとも１つの実質的に円柱状の部材が配置されるように、少なくとも１つの実質的に閉じた開口が、前記能動インダクタ部に部分的に、及び前記受動インダクタ部に部分的に形成され、
前記磁場は、前記高周波交流電流による励磁に応じて、前記能動及び受動インダクタ部により生成される、当該インダクタ組立品において、
前記能動インダクタ部は、更に、
外側能動インダクタ貫通口の周りに形成された外側能動インダクタ部；
前記外側能動インダクタ貫通口内に配置され、かつ電気的に絶縁する絶縁空間により前記外側能動インダクタ部から分離された内側能動インダクタ部；
前記内側能動インダクタ部内に形成された能動インダクタ貫通口、ここで、当該能動インダクタ貫通口により、隣接する第１の外側及び第１の内側能動インダクタコイル部及び隣接する第２の外側及び第２の内側能動インダクタコイル部が形成され、当該隣接する第１の外側及び第１の内側能動インダクタコイル部及び当該隣接する第２の外側及び第２の内側能動インダクタコイル部は、前記能動インダクタ貫通口の対向側に配置される；及び、
前記隣接する第１の外側及び第１の内側能動インダクタコイル部夫々の第１能動部分開口の組み合わせ、又は前記隣接する第２の外側及び第２の内側能動インダクタコイル部夫々の第２能動部分開口の組み合わせから形成された、略配列された能動部分インダクタ部開口の少なくとも１つの隣接組、ここで、前記隣接する第１の外側及び第１の内側能動インダクタコイル部の前記第１能動部分開口夫々、又は前記隣接する第２の外側及び第２の内側能動インダクタコイル部の前記第２能動部分開口夫々は、外側及び内側能動コイル部対向面に対して個別接続した能動インダクタ部アーチ形コイル面を有する、
を備え、
前記受動インダクタ部は、更に、
外側受動インダクタ部貫通口の周りに形成された外側受動インダクタ部；
前記外側受動インダクタ部貫通口内に配置され、前記外側受動インダクタ部から電気的に絶縁する絶縁空間により分離された内側受動インダクタ部；
前記内側受動インダクタ部内に形成された受動インダクタ貫通口、ここで、当該受動インダクタ貫通口により、隣接する第１の外側及び第１の内側受動インダクタコイル部及び隣接する第２の外側及び第２の内側受動インダクタコイル部が形成され、当該隣接する第１の外側及び第１の内側受動インダクタコイル部及び当該隣接する第２の外側及び第２の内側受動インダクタコイル部は、前記受動インダクタ貫通口の対向側に配置される；及び、
前記隣接する第１の外側及び第１の内側受動インダクタコイル部夫々の第１受動部分開口の組み合わせ、又は前記隣接する第２の外側及び第２の内側受動インダクタコイル部夫々の第２受動部分開口の組み合わせから形成された、略配列された受動部分インダクタ部開口の少なくとも１つの隣接組、ここで、前記隣接する第１の外側及び第１の内側受動インダクタコイル部の前記第１受動部分開口夫々、又は前記隣接する第２の外側及び第２の内側受動インダクタコイル部の前記第２受動部分開口夫々は、外側及び内側受動コイル部対向面に対して個別接続した受動インダクタ部アーチ形コイル面を有する、
を備え、
前記少なくとも１つの実質的に閉じた開口は、前記外側及び内側能動コイル部対向面が前記外側及び内側受動コイル部対向面から電気的に分離された態様で前記外側及び内側受動コイル部対向面に前記外側及び内側能動コイル部対向面が対向するとき、略配列された前記能動及び受動部分インダクタ部開口の前記少なくとも１つの隣接組の組により個別に形成されることを特徴とするインダクタ組立品。
【請求項２】
請求項１に記載のインダクタ組立品であって、
略配列された能動又は受動部分インダクタ部開口の前記少なくとも１つの隣接組の前記能動又は受動インダクタアーチ形コイル面らは、輪郭付けられたコイルリップの組である。
【請求項３】
請求項２に記載のインダクタ組立品であって、
前記輪郭付けられたコイルリップの組は、
前記少なくとも１つの実質的に閉じた開口に配置された前記少なくとも１つの実質的に円柱状の部材に隣接した不均整に形状出しされた部材の不均整塊；
前記少なくとも１つの実質的に閉じた開口に配置された前記少なくとも１つの実質的に円柱状の部材の表面上の開口；又は
前記少なくとも１つの実質的に閉じた開口に配置された前記不均整に形状出しされた部材と前記少なくとも１つの実質的に円柱状の部材間のフィレット領域の加熱を補償するように輪郭出しされている。
【請求項４】
請求項２に記載のインダクタ組立品であって、
前記輪郭付けられたコイルリップの組の対向面間に配置された少なくとも１つのリップ間磁束集中器を更に備える。
【請求項５】
請求項２に記載のインダクタ組立品であって、
少なくとも１つのリップ横断磁束集中器を更に備え、当該少なくとも１つのリップ横断磁束集中器は、前記輪郭付けられたコイルリップの組の先端から距離をあけて前記輪郭付けられたコイルリップの夫々に部分的に組み込まれている。
【請求項６】
請求項２に記載のインダクタ組立品であって、
前記輪郭付けられたコイルリップの対向面間に配置された少なくとも１つのリップ間磁束集中器、少なくとも１つのリップ横断磁束集中器を更に備え、前記少なくとも１つのリップ横断磁束集中器は、前記輪郭付けられたコイルリップの組の先端から距離をあけて前記輪郭付けられたコイルリップの組の夫々に組み込まれている。
【請求項７】
請求項１乃至６のいずれか一項に記載のインダクタ組立品であって、
前記少なくとも１つの実質的に閉じた開口に前記少なくとも１つの実質的に円柱状の部材が配置されているとき、前記インダクタ組立品又は金属加工品を回転させるドライバを更に備える。
【請求項８】
金属加工品の少なくとも１つの実質的に円柱状の部材を誘導加熱する方法であって、当該方法は、
少なくとも１つの実質的に円柱状の部材の軸方向周りに実質的に閉じた開口を形成するステップ、ここで、当該実質的に閉じた開口は、能動インダクタ部に部分的に及び受動インダクタ部に部分的に形成され、前記能動インダクタ部は、
外側能動インダクタ部貫通口の周りに形成された外側能動インダクタ部；
前記外側能動インダクタ貫通口内に配置され、かつ電気的に絶縁する絶縁空間により前記外側能動インダクタ部から分離された内側能動インダクタ部；
前記内側能動インダクタ部内に形成された能動インダクタ貫通口、ここで、当該能動インダクタ貫通口により、隣接する第１の外側及び第１の内側能動インダクタコイル部及び隣接する第２の外側及び第２の内側能動インダクタコイル部が形成され、当該隣接する第１の外側及び第１の内側能動インダクタコイル部及び当該隣接する第２の外側及び第２の内側能動インダクタコイル部は、前記能動インダクタ貫通口の対向側に配置される；及び、
前記隣接する第１の外側及び第１の内側能動インダクタコイル部夫々の第１能動部分開口の組み合わせ、又は前記隣接する第２の外側及び第２の内側能動インダクタコイル部夫々の第２能動部分開口の組み合わせから形成された、略配列された能動部分インダクタ部開口の少なくとも１つの隣接組、ここで、前記隣接する第１の外側及び第１の内側能動インダクタコイル部の前記第１能動部分開口夫々、又は前記隣接する第２の外側及び第２の内側能動インダクタコイル部の前記第２能動部分開口夫々は、外側及び内側能動コイル部対向面に対して個別接続し、かつ能動コイルリップとして輪郭付けされた能動インダクタ部アーチ形コイル面を有する：を備え、
前記受動インダクタ部は、
外側受動インダクタ部貫通口の周りに形成された外側受動インダクタ部；
前記外側受動インダクタ部貫通口内に配置され、電気的に絶縁する絶縁空間により前記外側受動インダクタ部から分離された内側受動インダクタ部；
前記内側受動インダクタ部内に形成された受動インダクタ貫通口、ここで、当該受動インダクタ貫通口により、隣接する第１の外側及び第１の内側受動インダクタコイル部及び隣接する第２の外側及び第２の内側受動インダクタコイル部が形成され、当該隣接する第１の外側及び第１の内側受動インダクタコイル部及び当該隣接する第２の外側及び第２の内側受動インダクタコイル部は、前記受動インダクタ貫通口の対向側に配置される；及び、
前記隣接する第１の外側及び第１の内側受動インダクタコイル部夫々の第１受動部分開口の組み合わせ、又は前記隣接する第２の外側及び第２の内側受動インダクタコイル部夫々の第２受動部分開口の組み合わせから形成された、略配列された受動部分インダクタ部開口の少なくとも１つの隣接組、ここで、前記隣接する第１の外側及び第１の内側受動インダクタコイル部の前記第１受動部分開口夫々、又は前記隣接する第２の外側及び第２の内側受動インダクタコイル部の前記第２受動部分開口夫々は、外側及び内側受動コイル部対向面に対して個別接続され、かつ受動コイルリップとして輪郭付けされた受動インダクタ部アーチ形コイル面を有する、を更に備え、
略配列された前記能動及び受動部分インダクタ部開口の前記少なくとも１つの隣接組の組は、前記外側及び内側能動コイル部対向面が前記外側及び内側受動コイル部対向面から電気的に分離された態様で前記外側及び内側受動コイル部対向面に前記外側及び内側能動コイル部対向面が対向するとき、少なくとも１つの前記実質的に閉じた開口を個別に形成する；
前記外側能動インダクタ部に対して第１交流電流を供給するステップ；
前記内側能動インダクタ部に対して第２交流電流を供給するステップ；
少なくとも前記外側能動及び外側受動インダクタ部に形成された各能動及び受動コイルリップの周囲に第１磁場が形成されるように、前記外側能動及び外側受動インダクタ部を磁気的に結合するステップ；及び
少なくとも前記内側能動及び内側受動インダクタ部に形成された各能動及び受動コイルリップの周囲に第２磁場が形成されるように、前記内側能動及び内側受動インダクタ部を磁気的に結合するステップ、を含む方法。
【請求項９】
請求項８に記載の方法であって、
少なくとも前記第１及び第２交流電流間の位相関係、又は前記第１又は第２交流電流の周波数、又は前記第１及び第２交流電流間の時間位相は、前記実質的に閉じた開口内の前記少なくとも１つの実質的に円柱状の部材を誘導加熱する過程において変更される。
【請求項１０】
請求項８又は９に記載の方法であって、
前記実質的に閉じた開口内の前記少なくとも１つの実質的に円柱状の部材を誘導加熱する過程において、前記能動インダクタ部及び前記受動インダクタ部、又は前記金属加工品のいずれかを回転させるステップを更に含む。
【請求項１１】
請求項８乃至１０のいずれか一項に記載の方法であって、
少なくとも１つのリップ間磁束集中器は、少なくとも１つのコイルリップの組の対向面間に配置されている。
【請求項１２】
請求項８乃至１０のいずれか一項に記載の方法であって、
少なくとも１つのリップ横断磁束集中器は、少なくとも１つのコイルリップの組の先端から間隔をあけた位置において、前記少なくとも１つの前記コイルリップの組の対向面に埋め込まれている。
【請求項１３】
請求項８乃至１０のいずれか一項に記載の方法であって、
少なくとも１つのリップ間磁束集中器は、少なくとも１つのコイルリップの組の対向面間に配置されており、
少なくとも１つのリップ横断磁束集中器は、少なくとも１つのコイルリップの組の先端から間隔をあけた位置において、前記少なくとも１つのコイルリップの組の対向面に埋め込まれている。